(57)【要約】      （修正有）【課題】床面等に対し水拭き清掃等の処理を行う場合に、処理効果を実質上損なうことなく水系液体を含有するＰＶＡスポンジの処理対象面に対する付着力を低減して容易に摺動させることができる処理用品及び処理用具を提供する。【解決手段】平面視長方形状の平板形状をなすＰＶＡスポンジＳの処理面（処理対象面に臨むべき特定の面）である底面を含む全面を、網状体Ｎにより覆い、網状体Ｎにより覆われた上面側に保持板Ｈの底面が接着固定する。保持板Ｈの上面部に対し傾動可能なように柄Ｌを連結する。ＰＶＡスポンジＳが水系液体を含有し、処理面である底面と処理対象面の間に網状体Ｎを挟んだ状態で、その処理対象面に対しＰＶＡスポンジＳを摺動させて処理対象面の清掃処理を行う。【選択図】図２
0003156047.tif 000002
【実用新案登録請求の範囲】
【請求項１】
処理対象面に臨むべき特定の面を処理面として有するＰＶＡスポンジと、
少なくとも前記処理面を覆う網状体を備え、
前記ＰＶＡスポンジが水系液体を含有し、前記処理面と前記処理対象面の間に前記網状体を挟んだ状態で、その処理対象面に対し前記ＰＶＡスポンジを摺動させて前記処理対象面の処理を行うための処理用品。
【請求項２】
上記処理面が平坦状面である請求項１記載の処理用品。
【請求項３】
上記処理面が溝状部及び凹部の一方又は両方を部分的に有する平坦面である請求項１記載の処理用品。
【請求項４】
上記ＰＶＡスポンジが、底面を上記処理面とする板形状をなす請求項１乃至３の何れか１項に記載の処理用品。
【請求項５】
上記ＰＶＡスポンジが平板形状をなす請求項４記載の処理用品。
【請求項６】
上記網状体が繊維製の網状体である請求項１乃至５の何れか１項に記載の処理用品。
【請求項７】
上記繊維の吸水率が２０℃相対湿度６５％において５％以下である請求項６記載の処理用品。
【請求項８】
処理面の面積の３０％乃至９０％が網目から露出している請求項１乃至７の何れか１項に記載の処理用品。
【請求項９】
床面を処理するためのものである請求項１乃至８の何れか１項に記載の処理用品。
【請求項１０】
清掃用である請求項１乃至９の何れか１項に記載の処理用品。
【請求項１１】
請求項１乃至１０の何れか１項に記載の処理用品と、その処理用品を支持する柄を備えてなる処理用具。
【考案の詳細な説明】
【技術分野】
【０００１】
本考案は、水系液体を含有するＰＶＡスポンジを用いて床面等の清掃処理等を行うための処理用品及びその処理用品を備える処理用具に関する。
【背景技術】
【０００２】
特開２００５−１３７８３６号公報には、清掃用のモップヘッド部にＰＶＡスポンジを有する柄付の吸水モップが記載されている。
【０００３】
ＰＶＡ（ポリビニルアルコール）スポンジは、吸水性及び保水性に優れるため、水道水又はその他の水系液体を用いて例えばフローリング床、プラスチックタイル床等の床面の水拭き清掃等の処理を行う上で適する。
【０００４】
しかしながら、例えば水系液体を含有した状態の平板状のＰＶＡスポンジの底面を床面上に摺動させて処理対象面である床面を水拭き清掃しようとすると、床面に対するＰＶＡスポンジの付着力が強いため、床面上にＰＶＡスポンジの底面を摺動させることが困難であったり、大きな労力を伴うことになる。このような問題は、処理効率を高める上で前記ＰＶＡスポンジの処理面である底面の面積をある程度広くした場合に更に顕著になる。
【先行技術文献】
【特許文献】
【０００５】
【特許文献１】特開２００５−１３７８３６号公報
【考案の概要】
【考案が解決しようとする課題】
【０００６】
本考案は従来技術に存した上記のような課題に鑑み行われたものであって、その目的とするところは、床面等の処理対象面に対し水拭き清掃等の処理を行う場合に、清掃処理等の処理効果を実質上損なうことなく水系液体を含有するＰＶＡスポンジの処理対象面に対する付着力を低減して処理対象面に対し容易に摺動させることができる処理用品及び処理用具を提供することにある。
【課題を解決するための手段】
【０００７】
上記目的を達成する本考案の処理用品は、
処理対象面に臨むべき特定の面を処理面として有するＰＶＡスポンジと、
少なくとも前記処理面を覆う網状体を備え、
前記ＰＶＡスポンジが水系液体を含有し、前記処理面と前記処理対象面の間に前記網状体を挟んだ状態で、その処理対象面に対し前記ＰＶＡスポンジを摺動させて前記処理対象面の処理を行うためのものである。
【０００８】
また本考案の処理用具は、上記処理用品と、その処理用品を支持する柄を備えてなるものである。
【０００９】
ＰＶＡスポンジのうち少なくとも処理対象面に臨むべき特定の面である処理面が網状体により覆われているので、ＰＶＡスポンジが水系液体を含有した状態で処理対象面の処理を行う場合、ＰＶＡスポンジの処理面と処理対象面の間に網状体を挟んだ状態で処理が行われる。
【００１０】
このようにＰＶＡスポンジの処理面と処理対象面の間に網状体を挟んだ状態で、水系液体を含有するＰＶＡスポンジを処理対象面に対し摺動させる場合、清掃処理等の処理効果を実質上損なうことなく処理対象面に対するＰＶＡスポンジの処理面の付着力を低減して容易に摺動させることができる。
【００１１】
そのため、ＰＶＡスポンジの処理面の面積を十分に広くしつつ処理対象面に対しＰＶＡスポンジを容易に摺動させることができるので、清掃処理等の処理効率を格段に高めることができる。
【００１２】
上記処理面は平坦状面とすることができる。ＰＶＡスポンジの処理面を、従来付着力が高まるために採用し難い点があった平坦状面とすることにより、処理対象面の清掃処理等の処理効率を高めることができる。
【００１３】
また上記処理面は、溝状部及び凹部の一方又は両方を部分的に有する平坦面であるものとすることができる。
【００１４】
更に、上記ＰＶＡスポンジは、底面を上記処理面とする板形状をなすものとすることができる。
【００１５】
また上記ＰＶＡスポンジは、平板形状をなすものとすることができる。
【００１６】
また更に、上記網状体は、繊維製の網状体であるものとすることができる。
【００１７】
また上記繊維の吸水率は２０℃相対湿度６５％において５％以下であるものとすることができる。
【００１８】
更に、処理面の面積の３０％乃至９０％が網目から露出しているものとすることができる。
【００１９】
上記処理用品は、床面を処理するためのものとすることができる。
【００２０】
また上記処理用品は、清掃用であるものとすることができる。
【考案の効果】
【００２１】
本考案の処理用品又は処理用具により処理対象面の処理を行う場合、ＰＶＡスポンジの処理面と処理対象面の間に網状体を挟んだ状態で、水系液体を含有するＰＶＡスポンジを処理対象面に対し摺動させることとなるため、清掃処理等の処理効果を実質上損なうことなく処理対象面に対するＰＶＡスポンジの処理面の付着力を低減して容易に摺動させることができる。そのため、ＰＶＡスポンジの処理面の面積を十分に広くしつつ処理対象面に対しＰＶＡスポンジを容易に摺動させることができるので、清掃処理等の処理効率を格段に高めることができる。
【図面の簡単な説明】
【００２２】
【図１】処理用品の模式的な底面図である。
【図２】処理用品及び処理用具の模式的な斜視図である。
【図３】図２のIII−III線拡大断面図である。
【考案を実施するための形態】
【００２３】
本考案の実施の形態を、図面を参照しつつ説明する。
【００２４】
図１乃至図３は、本考案の実施の形態の一例としての清掃用品及び清掃用具（すなわち、清掃処理を行うための処理用品及び処理用具）についてのものである。
【００２５】
本例の清掃用具Ａは、方形平板状の清掃用品Ｃと、その清掃用品Ｃを底面側に接着保持する合成樹脂製方形板状の保持板Ｈと、その保持板Ｈの上面部に対し傾動可能なように基部が連結された金属を主材料とする管状の柄Ｌからなる。なお、柄Ｌは、保持板Ｈの上面中央部に水平方向に直交する２つの回動軸を介して柄Ｌの基部を連結することにより、柄Ｌが保持板Ｈの上面部に対し全方向に傾動可能とすることができる。
【００２６】
本例の清掃用品Ｃは、平面視長方形状の平板形状をなすＰＶＡスポンジＳの処理面Ｓ１である底面を含む全面を、網状体Ｎにより覆い、網状体Ｎにより覆われた上面側に保持板Ｈの底面が接着固定されたものである。この清掃用品Ｃは、ＰＶＡスポンジＳが水系液体（水道水又はその他の水系液体）を含有し、処理面Ｓ１である底面と処理対象面としての床面等の間に網状体Ｎを挟んだ状態で、その床面等に対しＰＶＡスポンジＳを摺動させて床面等の清掃処理、特に水拭き処理を行うためのものである。処理対象面に臨むべき特定の面がＰＶＡスポンジの処理面である。すなわち、紐状体により処理対象面を拭く場合のように不特定箇所で処理するものではなく、特定の面が処理面となる。
【００２７】
処理対象面の主たる例としては、フローリング床、プラスチックタイル床等の床面を挙げることができる。
【００２８】
本例の平板形状をなすＰＶＡスポンジＳは、底面及び上面が何れも平坦状面であり、両面がほぼ平行状をなす。底面と上面との距離が厚みである。なお、本考案のＰＶＡスポンジの処理面は、必要に応じ、溝状部及び凹部の一方又は両方を部分的に有する平坦面とすることができる。更に、本考案のＰＶＡスポンジの処理面は必ずしも平坦状面に限らない。
【００２９】
ＰＶＡスポンジＳは、ＰＶＡ（ポリビニルアルコール）を発泡させて得ることができ、多数の気泡（例えば連続気泡）を有する。なお、本考案のＰＶＡスポンジは、少なくとも処理面において、吸水性及び保水性を発揮するものであることを要する。
【００３０】
本例における網状体Ｎは、ポリエステル繊維製である。本考案の網状体Ｎに使用し得る繊維に特に限定はなく、ポリエステル系繊維、ポリアミド系繊維等の各種合成繊維および／または天然繊維等を使用することができる。なお、網状体Ｎを構成する繊維は、例えば、その吸水率が２０℃相対湿度６５％において５％以下であるものとすることができる。
【００３１】
網状体はＰＶＡスポンジの少なくとも処理面を覆うことを要するが、本例のように全体を覆うものとすることや、ＰＶＡスポンジの処理面が底面部である場合に処理面と側部を覆うものや処理面と側部と上側部の一部とを覆うもの等とすることもできる。
【００３２】
網状体Ｎで覆われたＰＶＡスポンジＳの処理面Ｓ１は、例えばその面積の３０％乃至９０％が網状体Ｎの網目から露出しているものとすることができる。また、網状体Ｎにおける各網目の網目寸法は例えば３乃至３０ｍｍとすることができる。
【００３３】
本例の清掃用具Ａを用いて、ＰＶＡスポンジＳが水系液体を含有した状態で処理対象面の処理を行う場合、処理面Ｓ１である底面が網状体Ｎにより覆われているので、ＰＶＡスポンジＳの処理面Ｓ１と床面等の処理対象面の間に網状体Ｎを挟んだ状態で清掃処理が行われる。
【００３４】
このようにＰＶＡスポンジＳの処理面Ｓ１と処理対象面の間に網状体Ｎを挟んだ状態で、水系液体を含有するＰＶＡスポンジＳを床面等の処理対象面に対し摺動させる場合、清掃処理効果を実質上損なうことなく床面等に対するＰＶＡスポンジＳの処理面Ｓ１の付着力を低減して容易に摺動させることができる。
【００３５】
そのため、平板形状をなすＰＶＡスポンジＳの処理面Ｓ１である底面の面積を十分に広くしつつ床面等の処理対象面に対しＰＶＡスポンジＳを容易に摺動させることができるので、水拭き清掃処理等の処理効率を格段に高めることができる。
【符号の説明】
【００３６】
Ａ      清掃用具
Ｃ      清掃用品
Ｈ      保持板
Ｌ      柄
Ｎ      網状体
Ｓ      ＰＶＡスポンジ
Ｓ１    処理面
【図１】
0003156047.tif 000003
【図２】
0003156047.tif 000004
【図３】
0003156047.tif 000005